(57)【要約】      （修正有）【課題】光又は紫外線光などの発光を有するペンでなぞることにより、暗がりの中で前記シート又は平板の上にかかれた絵文字が発光し、残光により絵文字が浮き出て見える効果を発揮し、わくわくする想像力を掻き立てる発光絵描き玩具を提供する。【解決手段】地区構成・蛍光性のある（蓄光性夜光顔料・蛍光染料・蛍光顔料などが練り込まれるか、グラビアもしくはシルクスクリーンもしくは吹き付けられた）シート又は平板を備え、光又は紫外線光（ブラックライト）などの発光を有するペンから構成されており、前記シート又は平板の上から光又は紫外線光などの発光を有するペンでなぞることにより、暗がりの中で前記シート又は平板の上に発光し、絵文字が残光して見られる効果を発揮することと、わくわくする想像力を掻き立てる絵書き玩具。【選択図】図１
2005319140.tif 000002
【特許請求の範囲】
【請求項１】
シート又は平板は、蓄光性・蛍光性のある（蓄光性夜光顔料・蛍光染料・蛍光顔料などが練り込まれるか、グラビア若しくはシルクスクリーン若しくは吹き付けられた）ことにより、上から光又は紫外線光などの発光を有するペンでなぞられれば暗がりの中で発光した絵文字が残光して見えることを特徴とした発光絵描き玩具。
【請求項２】
ペンは、光又は紫外線光（ブラックライト）などの発光をし、蓄光性・蛍光性のある（蓄光性夜光顔料・蛍光染料・蛍光顔料などが練り込まれるか、グラビア若しくはシルクスクリーン若しくは吹き付けられた）シート又は平板の上からなぞることにより、暗がりの中でも前記シート又は平板の上に発光した絵文字が残光して見えることを特徴とした発光絵描き玩具。
【請求項３】
請求項１・請求項２に記載の絵描き玩具は、暗がりの中で絵文字が発光し、残光して見られる効果を発揮することで、わくわくする想像を掻き立てることを特徴とした絵描き玩具。
【発明の詳細な説明】
【技術分野】
【０００１】
本発明は、蓄光性・蛍光性のある（蓄光性夜光顔料・蛍光染料・蛍光顔料などが練り込まれるか、グラビア若しくはシルクスクリーン若しくは吹き付けられた）シート又は平板を備え、光又は紫外線光（ブラックライト）などの発光を有するペンから構成されており、前記シート又は平板の上から光又は紫外線光などの発光を有するペンでなぞられることにより暗がりの中で効果を発揮し、前記シート又は平板の上に発光した絵文字が残光してみられることを特徴とした絵描き玩具に係るものである。
【背景技術】
【０００２】
従来からある絵玩具は、貼り絵・種々の形状に折り曲げ加工、あるいは切った画材をボード上に配置したり、変わり絵・スライド部材をケースに対してスライドさせシールや写真の変化を楽しんだり、磁石絵・砂鉄を入れ込んだ平板の上から磁石付きのペンでなぞることにより鉄色の絵柄を消費者に提供していた。
【特許文献１】特開平０８−２７２２８９
【特許文献２】特開２０００−２５４３６１
【特許文献３】特開２００３−１９６０２４
【特許文献４】特開２００３−０３１００１
【発明の開示】
【発明が解決しようとする課題】
【０００３】
これら従来の貼り絵玩具や変わり絵玩具は、いつも同じ絵柄の繰り返しで変化が無く部材がなくなってしまい使えなくなるなどの欠点があり、磁石絵も期待感はあるが浮き上がった絵柄が黒っぽい鉄色であり、どれも日中しか使用できずわくわくする想像力を掻き立てるような満足を必ずしも得ることができなかった。
【０００４】
本発明の目的は暗がりの中でもわくわくする想像力を掻き立てることのできる絵玩具に係るものである。
【０００５】
本発明者らは、こうした事情にかんがみ、上記従来の絵玩具が持つ欠点を解決すべく鋭意研究を重ねた結果、蓄光性・蛍光性のある（蓄光性夜光顔料・蛍光染料・蛍光顔料などが練り込まれるか、グラビア若しくはシルクスクリーン若しくは吹き付けられた）シート又は平板を備え、光又は紫外線光（ブラックライト）などの発光を有するペンから構成されており前記シート又は平板の上から光又は紫外線光などの発光を有するペンでなぞることにより暗がりの中で前記シート又は平板の上に発光した絵文字が残光してみられる効果を発揮することによりわくわくする想像力を掻き立てることを特徴とした絵描き玩具がえられることを見出し、本発明を完成するに至る。
【課題を解決するための手段】
【０００６】
「請求項１」のシート又は平板は、蓄光性・蛍光性のある（蓄光性夜光顔料・蛍光染料・蛍光顔料などが練り込まれるか、グラビア若しくはシルクスクリーン若しくは吹き付けられた）ことにより、上から光又は紫外線光などの発光を有するペンでなぞられれば暗がりの中で発光した絵文字が残光して見えることを特徴とする。
【０００７】
「請求項２」のペンは、光又は紫外線光（ブラックライト）などの発光をし、蓄光性・蛍光性のある（蓄光性夜光顔料・蛍光染料・蛍光顔料などが練り込まれるか、グラビア若しくはシルクスクリーン若しくは吹き付けられた）シート又は平板の上からなぞることにより、暗がりの中でも前記シート又は平板の上に発光した絵文字が残光して見えることを特徴とする。
【０００８】
「請求項３」の請求項１・請求項２に記載の絵描き玩具は、暗がりの中で絵文字が発光し、残光して見られる効果を発揮することで、わくわくする想像を掻き立てることを特徴とする。
【０００９】
前記の絵玩具の双方にはキャラクターなどの印刷物や成型品で装飾されている構造だと更に良い。
【発明の効果】
【００１０】
以上のようにして構成された絵玩具は、室内・屋外の暗がりでも更に太陽光や白色光のように多種類の波長を含んだ光の中で光又は紫外線光（ブラックライト）などの発光をするペンでなぞった後、室内・屋外の暗がりの中で蓄光性・蛍光性のある絵文字（絵柄）を発光し残光して見られる効果を発揮することと、わくわくする想像力を掻き立てられる。
【００１１】
特に光又は紫外線光（ブラックライト）などの発光をするペンを蓄光性・蛍光性のある（蓄光性夜光顔料・蛍光染料・蛍光顔料などが練り込まれるか、グラビア若しくはシルクスクリーン若しくは吹き付けられた）シート又は平板の上を長い時間なぞると、より絵文字（絵柄）を発光し残光して見られる効果を得られる。
【発明を実施するための最良の形態】
【００１２】
以下に本発明に係る発光絵描き玩具の形態を示した図面に基づいて詳細に説明する。
【実施例１】
【００１３】
図１は、発光絵描き玩具の全体構成を表し、発光絵描き玩具の外観が表示されている。この発光絵描き玩具は本体１とペン２から構成され、本体１には短形の蓄光性・蛍光性のあるシート又は平板が設けられている。このとき、本体１とペン２は接続部材３によって繋がっており一体化しているが取り外しができる構造でも良い。
【００１４】
図２は、本体１の蓄光性・蛍光性のあるシート又は平板と吸着処理面の構成を表した断面図であり、シート又は平板は１−１,１−２,１−３,１−４の四層構造で構成される。
【００１５】
シート又は平板は機能・性能面から１−１層はフッ素フィルム、１−２層は蓄光性夜光顔料、１−３層は蒸着ＰＥＴフィルムにすると良いが、１−１層に透明ＰＥＴフィルム・１−３層に白色ＰＥＴフィルムを用いても良い。
【００１６】
本体１の裏面１−４には吸着処理が施され、平滑な面（樹脂面・ガラス面・塗装面・金属面その他）に貼り付けたり剥がしたりできる。例えばアクリル系・ウレタン系の発泡タイプのものが使い勝手の面から最も効果的であった。その他、磁石タイプ・粘着のりタイプ（強粘・中粘・弱粘）吸盤タイプでも良い。
【００１７】
この本体１のシート又は平板の少なくとも一方の面に蓄光性・蛍光性のある蓄光性夜光顔料・蛍光染料・蛍光顔料などがグラビアもしくはスクリーンもしくは吹き付けられるか練り込まれ形成されている。
【００１８】
シルクスクリーンで加工した場合、使い勝手の面から1平方メートル当り１０ｇ〜５００ｇ程度にすると良い。例えば、1平方メートル当り４０ｇ〜１００ｇ程の物が使い勝手の面から最も効果的であった。
【００１９】
この本体１は、蓄光性・蛍光性のあるシート又は平板で、光又は紫外線光などの発光を有するペン２でなぞることにより暗がりの中で発光し絵文字が残光して見られる発光色は緑若しくは黄緑に見える。
【００２０】
この発光色を施す蓄光性夜光顔料・蛍光染料・蛍光顔料の色は赤・青・黄・紫・及びその他の発光色でもよい。
【００２１】
図２に示すように、この本体１は短形の蓄光性・蛍光性のあるシート又は平板が設けられているがこのシート又は平板には光又は紫外線光などの発光を有するペン２でなぞることにより暗がりの中で発光し絵文字が残光して見られる発光色は緑若しくは黄緑に見えるだけでなく蓄光性夜光顔料・蛍光染料・蛍光顔料の色は赤・青・黄・紫・及びその他の発光色が見えても良い。
【００２２】
この本体１のシート又は平板の少なくとも一方の面に蓄光性・蛍光性のある蓄光性夜光顔料・蛍光染料・蛍光顔料などがグラビア若しくはシルクスクリーン若しくは吹き付けられるか練り込まれ形成されている。
【００２３】
この蓄光性夜光顔料・蛍光染料・蛍光顔料により光または紫外線光（ブラックライト）などの発光を有するペン２でなぞることにより暗がりの中で前記シート又は平板の上に発光し絵文字が残光して見られる効果を発揮することと、わくわくする想像力を掻き立てることができる。
【００２４】
本体１の形状としては、円形、三角形、正方形、長方形、台形、ひし形、平行四辺形、その他の多角形、及びハート形、花形、星形、月形又は、キャラクターやその他の形状が可能である。例えば、円柱、円筒、円錐等の形状でも可能であるが使い勝手が悪く不向きである。
【００２５】
この本体１は、使い勝手の面から一辺が５０mm〜６００mm程度のサイズにすると良い。例えば、２５０mm〜１８０mm程のサイズの物が使い勝手の面から最も効果的であった。
【００２６】
この本体１は、使い勝手の面から厚みは０.０１mm〜２０mm程度の厚みにすると良い。例えば、１mm程のサイズの物が使い勝手の面から最も効果的であった。
【００２７】
又、ペン２の材質は金属であるが、例えばアクリル樹脂・スチレン系樹脂・塩化ビニル系樹脂・メチルペンテン樹脂・ポリカーボネイト樹脂・共重合ポリエステル・共重合ポリアミド・ＡＢＳ等の樹脂で相互に混合された樹脂でペン２を成型しても良い。
【００２８】
さらにペン２の形状は弾丸形でキーホルダーとして使用することができ、サイズも２０ｍｍ〜１５０mm程度にすると良い。例えば、４０ｍｍ〜６０mm程の物が使い勝手の面から最も効果的であった。その形状は、球体、円錐、円柱、三角錐、三角柱、正四面体、立方体、直方体、その他の多面体、及びハート型、花型、星型、月型又は、キャラクターやその他の形状が可能である。
【００２９】
本発明の本体１に施される蓄光性・蛍光性のある蓄光性夜光顔料・蛍光染料・蛍光顔料の残光はミノルタ社製、商品名「ＬＳ−１００」を用い測定した。
【００３０】
ペン２の光又は紫外線光（ブラックライト）などの発光は松下電工社製の規格でＬＥＤナノメートル３７７〜３８９の物を用いる。
【００３１】
ペン２は、機能・性能面からＬＥＤナノメートル３７７〜３８９程度にすると良い。例えば、３７７〜３８９程の物が機能・性能面からも最も効果的であった。
【００３２】
３７７以下の場合ペンタイプでは価格面で製造が不可能である。３８９〜４００までの場合もそれなりの効果はあるが品質面で不安である。４００以上の場合は可視光線に近く効果があまり無い。
【実施例２】
【００３３】
図３に示すように、本体１にペン２を収納する為の穴４を設け、ペン２を収納可能な構造にしても良い。
【実施例３】
【００３４】
図４に示すように、本体１の蓄光性・蛍光性のあるシート又は平板は、１枚だけでなく複数の枚数を設けても良い。
【産業上の利用可能性】
【００３５】
本発明によれば、蓄光性・蛍光性のある（蓄光性夜光顔料・蛍光染料・蛍光顔料などが練り込まれるかグラビア若しくはスクリーン若しくは吹き付けられた）シート又は平板を備え、光又は紫外線光（ブラックライト）などの発光を有するペンから構成されており、前記シート又は平板の上から光又は紫外線光などの発光を有するペンでなぞることにより暗がりの中で前記シート又は平板の上に発光し絵文字が残光して見られる効果を発揮することと、わくわくする想像力を掻き立てることを特徴とした絵描き玩具を得られるのである。
【図面の簡単な説明】
【００３６】
【図１】発光絵描き玩具の構成図である。（実施例１）
【図２】発光絵描き玩具の本体の断面図である。（シート又は平板）
【図３】発光絵描き玩具の構成図である。（実施例２）
【図４】発光絵描き玩具の構成図である。（実施例３）
【符号の説明】
【００３７】
１      本体（シート又は平板）
１−１  フッ素フイルム層
１−２  蓄光性夜光顔料・蛍光染料・蛍光顔料層
１−３  蒸着ＰＥＴフィルム層
１−４  吸着処理面
２      ペン
３      接続部材
４      ペン収納穴
５      留め具
【図１】
2005319140.tif 000003
【図２】
2005319140.tif 000004
【図３】
2005319140.tif 000005
【図４】
2005319140.tif 000006